(57)【特許請求の範囲】
【請求項１】
表面に標準文字および外字を含む第１表面情報が所定配列で印字され、標準文字および外字に関する第２表面情報が記録されたＩＣチップを有するＩＣカードに対して情報処理を施すＩＣカード処理システムにおいて、
前記ＩＣチップの前記第２表面情報は、前記第１表面情報の標準文字が符号化された符号化情報と、前記第１表面情報の外字のうち一部の外字の画像からなる外字画像情報と、前記第１表面情報の外字のうちその画像の情報が前記外字画像情報に含まれていない外字である欠落外字が前記所定配列中に存在することを示す欠落外字情報と、を含み、
ＩＣカード処理システムは、
前記第２表面情報を前記ＩＣチップから読み出すＩＣチップ読出部と、
前記ＩＣカードの表面を読み込んでＩＣカードの表面に印字された前記第１表面情報の画像を取得する表面スキャナと、
前記第２表面情報の前記欠落外字情報に基づいて、前記所定配列を考慮して、前記欠落外字が印字されている位置を特定する欠落外字特定部と、
前記欠落外字特定部からの情報に基づいて、前記表面スキャナにより得られた画像から、前記欠落外字の画像を抽出する欠落外字画像抽出部と、を備えたことを特徴とするＩＣカード処理システム。
【請求項２】
表面に標準文字および外字を含む第１表面情報が印字され、標準文字および外字に関する第２表面情報が記録されたＩＣチップを有するＩＣカードに対して情報処理を施すＩＣカード処理システムにおいて、
前記ＩＣチップの前記第２表面情報は、前記第１表面情報の標準文字が符号化された符号化情報と、前記第１表面情報の外字のうち一部の外字の画像からなる外字画像情報と、を含み、
ＩＣカード処理システムは、
前記第２表面情報を前記ＩＣチップから読み出すＩＣチップ読出部と、
前記ＩＣカードの表面を読み込んでＩＣカードの表面に印字された前記第１表面情報の画像を取得する表面スキャナと、
前記ＩＣカード表面の画像を解析して、前記ＩＣカードの表面に印字された第１表面情報に含まれる外字を特定する外字特定部と、
前記外字画像情報および前記外字特定部からの情報に基づいて、前記ＩＣカード表面の画像から、その画像情報が前記外字画像情報に含まれていない外字である欠落外字の画像を抽出する欠落外字画像抽出部と、を備えたことを特徴とするＩＣカード処理システム。
【請求項３】
前記第２表面情報および前記欠落外字の画像からなる情報を記録するデータベースをさらに備え、
前記欠落外字の画像からなる情報は、圧縮されて前記データベースに記録されることを特徴とする請求項１または２に記載のＩＣカード処理システム。
【請求項４】
前記第２表面情報および前記欠落外字の画像からなる情報を記録するデータベースをさらに備え、
前記欠落外字の画像からなる情報は、前記第２表面情報の外字画像情報と同一の形式で前記データベースに記録されることを特徴とする請求項１または２に記載のＩＣカード処理システム。
【請求項５】
前記欠落外字画像抽出部により抽出される前記欠落外字の画像の画素数が、前記ＩＣチップの前記第２表面情報に含まれている外字画像情報における各外字の画像の画素数と同一になるよう、前記表面スキャナの解像度が調整されることを特徴とする請求項１乃至４のいずれかに記載のＩＣカード処理システム。
【発明の詳細な説明】
【技術分野】
【０００１】
本発明は、ＩＣチップを有するＩＣカードに対して情報処理を施すＩＣカード処理システムに係り、とりわけ、ＩＣカードの表面に印字された文字に関する情報を処理するＩＣカード処理システムに関する。
【背景技術】
【０００２】
身分証明証などの身分確認時に用いられるカードとして、電子情報が記録されたＩＣチップを有するＩＣカードが知られている。このようなＩＣカードのＩＣチップには、例えば、ＩＣカードの表面に印字されている氏名、住所などの文字に関する情報や、ＩＣカードの表面に印画されている顔写真などの画像に関する情報が電子情報として記録されている。このうち文字に関する情報は、一般に、所定の規格に沿って文字を符号化することにより得られる符号化情報として記録される。
【０００３】
ＩＣカードのＩＣチップに記録されている電子情報は、ＩＣチップの電子情報を接触式または非接触式で読み出すＩＣカードリーダライタ（ＩＣチップ読出部）によって取り出される。例えば特許文献１により、非接触式のＩＣカードに対し、電子情報の読み込みまたは書き込みが可能なＩＣカードリーダライタが知られている。このようなＩＣカードリーダライタを用いてＩＣチップの電子情報を取り出すことにより、ＩＣカードに印字または印画されている様々な情報を電子情報として得ることができる。このようにして得られた電子情報は、ＩＣカード保有者に関する書類などを作成する際に利用され得る。この場合、得られた電子情報に基づいて自動的に書類などを作成することが可能であり、このため、書類作成などの事務作業を効率化することができる。
【先行技術文献】
【特許文献】
【０００４】
【特許文献１】特開２００６−１３４０５４号公報
【発明の概要】
【発明が解決しようとする課題】
【０００５】
ところで、ＩＣカードの表面に印字される氏名、住所などの文字には、所定の文字コードに沿って符号化可能な標準的な文字（標準文字）だけでなく、符号が割り当てられていない特殊な文字（外字）が含まれている場合がある。このような外字は、例えば、外字を撮像して得られる画像からなる外字画像情報としてＩＣチップに記録される。
【０００６】
しかしながら、ＩＣチップに記録され得る情報のデータ容量には制限があり、このため、ＩＣカードの表面の文字に多くの外字が含まれている場合、全ての外字の画像情報をＩＣチップに記録できないことが考えられる。すなわち、ＩＣカードの表面に印字されている外字のうち、その画像情報がＩＣチップ内に記録されていない外字（欠落外字）が存在することが考えられる。この場合、ＩＣカードリーダライタを用いてＩＣチップの電子情報を取り出したとしても、ＩＣカードに印字されている全ての外字に関する画像情報を得ることができず、このため、ＩＣカードの保有者に関する書類などを自動的に作成することができない。
【０００７】
本発明は、このような課題を効果的に解決し得るＩＣカード処理システムを提供することを目的とする。
【課題を解決するための手段】
【０００８】
第１の本発明は、表面に標準文字および外字を含む第１表面情報が所定配列で印字され、標準文字および外字に関する第２表面情報が記録されたＩＣチップを有するＩＣカードに対して情報処理を施すＩＣカード処理システムにおいて、前記ＩＣチップの前記第２表面情報は、前記第１表面情報の標準文字が符号化された符号化情報と、前記第１表面情報の外字のうち一部の外字の画像からなる外字画像情報と、前記第１表面情報の他の欠落外字が前記所定配列中に存在することを示す欠落外字情報と、を含み、ＩＣカード処理システムは、前記第２表面情報を前記ＩＣチップから読み出すＩＣチップ読出部と、前記ＩＣカードの表面を読み込んでＩＣカードの表面に印字された前記第１表面情報の画像を取得する表面スキャナと、前記第２表面情報の前記欠落外字情報に基づいて、前記所定配列を考慮して、前記ＩＣカードの表面に印字された前記第１表面情報に含まれる外字のうち前記外字画像情報に含まれない欠落外字が印字されている位置を特定する欠落外字特定部と、前記欠落外字特定部からの情報に基づいて、前記表面スキャナにより得られた画像から、前記欠落外字の画像を抽出する欠落外字画像抽出部と、を備えたことを特徴とするＩＣカード処理システムである。
【０００９】
第２の本発明は、表面に標準文字および外字を含む第１表面情報が印字され、標準文字および外字に関する第２表面情報が記録されたＩＣチップを有するＩＣカードに対して情報処理を施すＩＣカード処理システムにおいて、前記ＩＣチップの前記第２表面情報は、前記第１表面情報の標準文字が符号化された符号化情報と、前記第１表面情報の外字のうち一部の外字の画像からなる外字画像情報と、を含み、ＩＣカード処理システムは、前記第２表面情報を前記ＩＣチップから読み出すＩＣチップ読出部と、前記ＩＣカードの表面を読み込んでＩＣカードの表面に印字された前記第１表面情報の画像を取得する表面スキャナと、前記ＩＣカード表面の画像を解析して、前記ＩＣカードの表面に印字された第１表面情報に含まれる外字を特定する外字特定部と、前記ＩＣチップにより読み出された前記第２表面情報と、前記外字特定部からの情報とに基づいて、前記ＩＣカードの表面に印字された前記第１表面情報に含まれる外字のうち前記外字画像情報に含まれない欠落外字を特定する欠落外字特定部と、前記欠落外字特定部からの情報に基づいて、前記ＩＣカード表面の画像から、前記欠落外字の画像を抽出する欠落外字画像抽出部と、を備えたことを特徴とするＩＣカード処理システムである。
【００１０】
本発明によるＩＣカード処理システムは、前記第２表面情報および前記欠落外字の画像からなる情報を記録するデータベースをさらに備えていてもよい。この場合、前記欠落外字の画像からなる情報は、圧縮されて前記データベースに記録されてもよい。
【００１１】
本発明によるＩＣカード処理システムは、前記第２表面情報および前記欠落外字の画像からなる情報を記録するデータベースをさらに備えていてもよい。この場合、前記欠落外字の画像からなる情報は、前記第２表面情報の外字画像情報と同一の形式で前記データベースに記録されてもよい。
【００１２】
本発明によるＩＣカード処理システムにおいて、前記欠落外字画像抽出部により抽出される前記欠落外字の画像の画素数が、前記ＩＣチップの前記第２表面情報に含まれている外字画像情報における各外字の画像の画素数と同一になるよう、前記表面スキャナの読み取り解像度が調整されてもよい。
【発明の効果】
【００１３】
本発明のＩＣカード処理システムによれば、ＩＣカードの表面に印字されている全ての外字に関する画像情報を自動的に得ることができる。このため、ＩＣカードの保有者に関する書類などを自動的に作成することができ、このことにより、書類作成などの事務作業を効率化することができる。
【図面の簡単な説明】
【００１４】
【図１】図１は、本発明の第１の実施の形態におけるＩＣカード処理システムを示す図。
【図２】図２は、本発明の第１の実施の形態におけるＩＣカード処理システムを示すブロック図。
【図３】図３（ａ）は、本発明の第１の実施の形態におけるＩＣカードのフォーマットを示す図、図３（ｂ）は、表面に標準文字および外字がフォーマットに沿って印字されたＩＣカードを示す図。
【図４】図４は、本発明の第１の実施の形態において、ＩＣカードのＩＣチップに記録されている第２表面情報を示す図。
【図５】図５は、本発明の第１の実施の形態において、ＩＣカード処理システムによりＩＣカードに施される情報処理を示すフローチャート。
【図６】図６は、本発明の第１の実施の形態において、データベースに記録される情報を示す図。
【図７】図７は、本発明の第２の実施の形態におけるＩＣカード処理システムを示す図。
【図８】図８は、本発明の第２の実施の形態において、ＩＣカード処理システムによりＩＣカードに施される情報処理を示すフローチャート。
【図９】図９は、ＩＣカード処理システムのＩＣカードリーダライタの変形例を示す図。
【発明を実施するための形態】
【００１５】
第１の実施の形態
以下、図１乃至図６を参照して、本発明の第１の実施の形態について説明する。はじめに図３（ａ）（ｂ）を参照して、ＩＣカード１１について説明する。
【００１６】
ＩＣカード
本実施の形態において、ＩＣカード１１（例えば運転免許証）の表面１１ａには、標準文字および外字を含む第１表面情報が、所定のフォーマットに沿って所定配列で印字されている。図３（ａ）は、ＩＣカード１１のフォーマットの一例を示す図である。図３（ａ）に示すように、ＩＣカード１１においては、ＩＣカード１１保有者の氏名が印字される氏名印字領域１３ａ、住所が印字される住所印字領域１３ｂ、本籍が印字される本籍印字領域１３ｃ、発行日が印字される発行日印字領域１３ｄ、有効期限が印字される有効期限印字領域１３ｅ、運転条件などが印字される条件印字領域１３ｆ、および電話番号が印字される電話番号印字領域１３ｇが予め定められている。従って、氏名などを表現するための文字は、対応する印字領域内に所定配列で印字される。
【００１７】
また図３（ａ）に示すように、ＩＣカード１１の表面１１ａには、顔写真１８（図３（ｂ）参照）を印画するための顔写真印画領域１７も画定されている。またＩＣカード１１の内部には、表面１１ａに印字された標準文字および外字に関する情報（後述する第２記録情報）が記録されたＩＣチップ１２が埋め込まれている。
【００１８】
（第１表面情報）
図３（ｂ）は、所定のフォーマットに沿って第１表面情報１４が印字されたＩＣカード１１を示す図である。図３（ｂ）に示すように、ＩＣカード１１の表面１１ａに印字される第１表面情報１４は、標準文字１５および外字１６ａ〜１６ｅを含んでいる。ここで「標準文字」とは、特定の文字集合（文字コードなど）に含まれている文字のことであり、例えば、ＪＩＳ規格の文字コード（ＪＩＳ  Ｘ  ０２０８など）に含まれる文字のことである。従って、標準文字は、所定の文字コードに従って符号化され得る文字となっている。一方「外字」とは、特定の文字集合に含まれていない文字のことである。従って、外字は、所定の文字コードに従って符号化され得ない文字となっている。なお外字１６ａ〜１６ｅは各々、互いに異なる文字からなっているが、図３（ｂ）においては、便宜上、全ての外字１６ａ〜１６ｅが記号「○」で示されている。
【００１９】
（第２表面情報）
次に図４を参照して、表面１１ａに印字された標準文字１５および外字１６ａ〜１６ｅに関する第２表面情報５０であって、ＩＣチップ１２に記録された第２表面情報５０について説明する。図４は、ＩＣカード１１のＩＣチップ１２に記録されている第２表面情報５０を示す表である。図４に示すように、ＩＣチップ１２において、表面１１ａに印字された標準文字１５および外字１６ａ〜１６ｅは、各印字領域１３ａ〜１３ｇの文字ごとに区画されて記録されている。例えば第２表面情報５０の「氏名」という項目には、ＩＣカード１１の氏名印字領域１３ａに印字されている「日本○子」という文字が、左から順に記録されている。
【００２０】
上述のとおり、ＩＣカード１１に印字されている文字のうち、標準文字１５は、所定の文字コードに従って符号化され得る文字となっている。このため、図４に示すように、「日本○子」という文字のうち「日」、「本」および「子」の標準文字１５は、それぞれ「４６７Ｃ」、「４Ｂ５Ｃ」および「３Ｂ５２」という符号（符号化情報５１）としてＩＣチップ１２に記録されている。一方、「日本○子」という文字のうち「○」の外字（第１外字）１６ａは、上述のとおり符号化され得ない文字となっている。このため、図４において「外字１」の項目に示されているように、第１外字１６ａは、５０×５０画素からなるイメージデータ（第１外字画像情報５３ａ）としてＩＣチップ１２に記録されている。
【００２１】
同様に、ＩＣカード１１の住所印字領域１３ｂに印字されている「東京都○○町」という文字のうちの２つの外字（第２外字１６ｂおよび第３外字１６ｃ）は、図４に示すように、５０×５０画素からなる第２外字画像情報５３ｂおよび第３外字画像情報５３ｃとしてＩＣチップ１２に記録されている。
【００２２】
なお、図４において符号５２ａで示されている「ＦＦＦ１」は、ＩＣカード１１に所定配列で印字されている文字のうち、氏名印字領域１３ａにおける左から三番目の文字が第１外字１６ａであることを示す情報（第１外字情報）となっている。同様に、図４において符号５２ｂで示されている「ＦＦＦ２」、および符号５２ｃで示されている「ＦＦＦ３」は、ＩＣカード１１に所定配列で印字された文字のうち、住所印字領域１３ｂにおける左から四番目および五番目の文字が第２外字１６ｂおよび第３外字１６ｃであることを示す情報（第２外字情報および第３外字情報）となっている。このため、これらの外字情報５２ａ〜５２ｃに基づいて、ＩＣカード１１の所定配列（所定のフォーマット）を考慮することにより、ＩＣカード１１において外字１６ａ〜１６ｃが印字されている位置を特定することが可能となっている。従って、ＩＣチップ１２に記録されている第２表面情報５０に基づいて、ＩＣカード１１に印字されている氏名および住所を所定の書類上に印字する場合、第２表面情報５０の符号化情報５１に基づいて標準文字１５を書類上に配置するとともに、外字情報５２ａ〜５２ｃから特定された外字１６ａ〜１６ｃの印字位置に外字画像情報５３ａ〜５３ｃを配置することにより、標準文字１５と外字１６ａ〜１６ｃとからなる氏名および住所を所定の書類上に印字することができる。
【００２３】
ところで、図４に示されているように、標準文字１５はそれぞれ１６ビットの符号化情報５１としてＩＣチップ１２に記録されており、一方、外字１６ａ〜１６ｃはそれぞれ５０×５０画素の外字画像情報５３ａ〜５３ｃとしてＩＣチップ１２に記録されている。すなわち、外字画像情報５３ａ〜５３ｃのデータ量は、符号化情報５１のデータ量に比べて著しく大きくなっている。このため、ＩＣチップ１２に記録可能な外字画像情報の数は制限されることになり、本実施の形態によるＩＣチップ１２においては、記録可能な外字画像情報の数が３個となっている。
【００２４】
一方、図３（ｂ）に示すように、ＩＣカード１１の表面１１ａには、合計で５つの外字１６ａ〜１６ｅが印字されている。従って、外字１６ａ〜１６ｅのうち本籍印字領域１３ｃに印字されている２つの外字１６ｄ，１６ｅは、その画像情報をＩＣチップ１２に記録することができない外字（以下、第１欠落外字１６ｄおよび第２欠落外字１６ｅ）となっている。
【００２５】
なお、図４において符号５２ｄ，５２ｅで示すように、ＩＣチップ１２の第２表面情報５０には、上述の欠落外字１６ｄ，１６ｅがＩＣカード１１の所定配列中に存在することを示す欠落外字情報「ＦＦＦＡ」が含まれている。すなわち、欠落外字情報５２ｄ，５２ｅに基づいて、ＩＣカード１１の所定配列（所定のフォーマット）を考慮することにより、ＩＣカード１１において欠落外字１６ｄ，１６ｅが印字されている位置を特定することが可能となっている。
【００２６】
ＩＣカード処理システム
次に図１および図２を参照して、ＩＣカード処理システム１０について説明する。
【００２７】
図１は、ＩＣカード処理システム１０の装置構成を示す図である。図１に示すように、ＩＣカード処理システム１０は、ＩＣカード１１に対応したＩＣカードリーダライタ２０と、ＩＣカードリーダライタ２０に接続されたコンピュータ３０と、を備えている。またコンピュータ３０には、ＩＣカード１１に対して施した情報処理の結果などをプリントアウトするためのプリンタ４０が接続されている。
【００２８】
次に、図２に示すブロック図を参照して、ＩＣカード処理システム１０についてより詳細に説明する。
【００２９】
（ＩＣカードリーダライタ）
図２に示すように、ＩＣカード処理システム１０のＩＣカードリーダライタ２０は、第２表面情報５０をＩＣチップ１２から読み出すＩＣチップ読出部２２と、ＩＣカード１１の表面１１ａを読み込んで、ＩＣカード１１の表面１１ａに印字された第１表面情報１４の画像を所定の解像度で取得する表面スキャナ２３と、を有している。このうちＩＣチップ読出部２２は、図１に示すように、ＩＣカードリーダライタ２０の蓋部分に設けられている。一方、表面スキャナ２３は、図１に示すように、ＩＣカードリーダライタ２０の本体部分に設けられている。従って、ＩＣチップ読出部２２と表面スキャナ２３とをＩＣカード１１に対して同時に作用させることができる。
【００３０】
また、表面スキャナ２３は、画像を読み取る際の解像度を調整する解像度調整部（図示せず）を有している。このため、欠落外字画像抽出部（後述）により抽出される欠落外字１６ｄ，１６ｅの画像の画素数が所望の画素数となるよう、解像度調整部により表面スキャナ２３の解像度を調整することが可能となっている。この際、ＩＣカード１１に印字される文字の所定フォーマットから算出される、欠落外字１６ｄ，１６ｅが印字される領域の面積が考慮されてもよい。
解像度調整部により調整される表面スキャナ２３の解像度は特には限定されないが、好ましくは、欠落外字画像抽出部（後述）により抽出される欠落外字１６ｄ，１６ｅの画像の画素数が、第２表面情報５０に含まれている外字画像情報５３ａ，５３ｂ，５３ｃにおける各外字１６ａ，１６ｂ，１６ｃの画像の画素数（本実施の形態においては５０×５０画素）と同一になるよう、表面スキャナ２３の解像度が調整される。
【００３１】
（コンピュータ）
図２に示すように、ＩＣカード処理システム１０のコンピュータ３０は、欠落外字特定部３２と、欠落外字画像抽出部３３と、データベース３４と、を有している。このうち欠落外字特定部３２は、第２表面情報５０の欠落外字情報５２ｄ，５２ｅに基づいて、ＩＣカード１１に印字される文字の所定配列（所定のフォーマット）を考慮して、ＩＣカード１１の表面１１ａに印字された第１表面情報１４に含まれる欠落外字１６ｄ，１６ｅの位置を特定するものである。例えば、欠落外字特定部３２は、はじめに、図４に示す第２表面情報５０において「ＦＦＦＡ」で示されている欠落外字情報５２ｄ，５２ｅが、「本籍」の項目の左から４番目および５番目に記録されていることを検出する。次に、欠落外字特定部３２は、図３（ａ）に示すＩＣカード１１のフォーマットを考慮して、第１欠落外字１６ｄおよび第２欠落外字１６ｅの位置が本籍印字領域１３ｃにおける左から４番目および５番目の位置であることを特定する。
【００３２】
また欠落外字画像抽出部３３は、欠落外字特定部３２からの情報に基づいて、表面スキャナ２３により得られた画像から、欠落外字１６ｄ，１６ｅの画像を抽出するものである。例えば、欠落外字画像抽出部３３は、表面スキャナ２３により取得されたＩＣカード１１の表面１１ａの画像から、欠落外字特定部３２により特定された第１欠落外字１６ｄおよび第２欠落外字１６ｅの位置にある画像、すなわち第１欠落外字１６ｄおよび第２欠落外字１６ｅの画像を抽出する。このようにして抽出された欠落外字１６ｄ，１６ｅの画像に関する欠落外字画像情報は、ＩＣチップ読出部２２によりＩＣチップ１２から読み出された第２表面情報５０とともに、コンピュータ３０のデータベース３４に記録される。
【００３３】
欠落外字特定部３２、欠落外字画像抽出部３３およびデータベース３４は、図２に示すように、制御部３１により制御される。また図２に示すように、ＩＣカードリーダライタ２０のＩＣチップ読出部２２および表面スキャナ２３、またはプリンタ４０も、コンピュータ３０の制御部３１により制御される。
【００３４】
次に、このような構成からなる本実施の形態の作用について説明する。ここでは、ＩＣカード１１のＩＣチップ１２において欠落していた欠落外字画像情報を補完することにより、データ抜けの無いデータベース３４を構築する作用について説明する。
【００３５】
はじめに、図５に示すように、ＩＣカードリーダライタ２０内にＩＣカード１１を載置する（Ｓ１０１）。この場合、図１に示すように、ＩＣカード１１の表面１１ａがＩＣカードリーダライタ２０の表面スキャナ２３に向くようにＩＣカード１１を載置する。
【００３６】
次に、コンピュータ３０を用いて、ＩＣカード１１のＩＣチップ１２用の暗証番号をＩＣチップ１２に入力する（Ｓ１０２）。これによって、ＩＣチップ１２のロックが解除され、このことにより、ＩＣチップ１２に記録されている第２表面情報５０が読み出し可能状態となる。
【００３７】
その後、制御部３１を介してＩＣチップ読出部２２を制御することにより、ＩＣチップ１２に記録されている第２表面情報５０を読み出す（Ｓ１０３）。これによって、第２表面情報５０に含まれている符号化情報５１、外字画像情報５３ａ〜５３ｃ、外字情報５２ａ〜５２ｃおよび欠落外字情報５２ｄ，５２ｅなどが得られる。
【００３８】
第２表面情報５０が読み出されると、まず、欠落外字が存在しているかどうかが判定される（Ｓ１０４）。すなわち、第２表面情報５０内に、「ＦＦＦＡ」で示されている欠落外字情報が存在しているかどうかが判定される。欠落外字情報が存在していない場合、図５においてＳ１０８で示されているステップが実施される。一方、欠落外字情報が存在している場合、図５においてＳ１０５〜１０７で示されているステップが実施され、その後、Ｓ１０８で示されているステップが実施される。以下、図５においてＳ１０５〜１０７で示されているステップについて説明する。なお、欠落外字が存在しているかどうかの判定を実施する部分が特に限られることはない。例えば、当該判定は、制御部３１において行われてもよく、または、欠落外字特定部３２において行われてもよい。
【００３９】
欠落外字情報が存在している場合、はじめに、制御部３１を介して表面スキャナ２３を制御することにより、ＩＣカード１１の表面１１ａに印字された第１表面情報１４の画像を所定の解像度で取得する（Ｓ１０５）。次に、欠落外字特定部３２が、第２表面情報５０の欠落外字情報５２ｄ，５２ｅに基づいて、ＩＣカード１１に印字される文字の所定配列を考慮して、ＩＣカード１１における欠落外字１６ｄ，１６ｅの位置を特定する（Ｓ１０６）。これによって、欠落外字１６ｄ，１６ｅの位置が、本籍印字領域１３ｃにおいて左から４番目および５番目の位置であることが特定される。
【００４０】
その後、欠落外字特定部３２により特定された欠落外字１６ｄ，１６ｅの位置に関する情報に基づいて、欠落外字画像抽出部３３が、ＩＣカード１１の表面１１ａの画像から欠落外字１６ｄ，１６ｅの画像を抽出する（Ｓ１０７）。これによって、欠落外字１６ｄ，１６ｅの画像が取得され、このようにして、欠落外字画像情報６３ｄ，６３ｅが得られる。
【００４１】
次に、コンピュータ３０のディスプレイ３６を介して、得られた欠落外字画像情報６３ｄ，６３ｅが適切かどうかが確認される（Ｓ１０８）。得られた欠落外字画像情報６３ｄ，６３ｅが適切である場合、当該欠落外字画像情報６３ｄ，６３ｅが、ＩＣチップ１２から読み出された第２表面情報５０とともにデータベース３４に記録される（Ｓ１０９）。
なお、ＩＣカード処理システム１０における欠落外字１６ｄ，１６ｅの画像の抽出精度が十分に高い場合、上述の確認工程（Ｓ１０８）が省略されてもよい。
【００４２】
このようにしてデータベース３４に記録された情報の一例を図６に示す。図６において、符号化情報６１、外字情報６２ａ〜６２ｃおよび外字画像情報６３ａ〜６３ｃは、図４における符号化情報５１、外字情報５２ａ〜５２ｃおよび外字画像情報５３ａ〜５３ｃと略同一になっている。一方、図６において「欠落外字１」および「欠落外字２」の項目で示されているように、データベース３４に、欠落外字１６ｄ，１６ｅの画像からなる欠落外字画像情報６３ｄ，６３ｅが記録されている。欠落外字画像情報６３ｄ，６３ｅは、例えば図６に示すように、ＩＣチップ１２の第２表面情報５０における外字画像情報５３ａ〜５３ｃと同一の形式（画素数、画像フォーマット、圧縮形式など）でデータベース３４に記録される。
【００４３】
また、図６に示すように、欠落外字が存在していることを示す欠落外字情報６２ｄ，６２ｅに対応する符号は、欠落外字ごとに異なる符号が用いられている。すなわち、図６に示すように、第１欠落外字１６ｄに関する第１欠落外字情報６２ｄに対応する符号として「ＦＦＥ１」が用いられ、第２欠落外字１６ｅに関する第２欠落外字情報６２ｅに対応する符号として「ＦＦＥ２」が用いられている。このことにより、欠落外字画像情報６３ｄ，６３ｅと、欠落外字情報６２ｄ，６２ｅから得られる欠落外字１６ｄ，１６ｅの位置と、を確実に対応させることができる。
【００４４】
このようにして得られたデータベース３４の情報は、ＩＣカード１１の保有者に関する書類などを作成するために適宜利用される。例えば、制御部３１によりデータベース３４内の情報を所定形式でプリンタ４０に送信することにより、ＩＣカード１１に印字された文字が全て印字された帳票（図示せず）をプリントアウトすることができる（図５のＳ１１０）。
【００４５】
このように本実施の形態によれば、ＩＣカード処理システム１０は、第２表面情報５０をＩＣチップ１２から読み出すＩＣチップ読出部２２と、ＩＣカード１１の表面１１ａを読み込んで、ＩＣカード１１の表面１１ａに印字された第１表面情報１４の画像を取得する表面スキャナ２３と、第２表面情報５０の欠落外字情報６２ｄ，６２ｅに基づいて、ＩＣカード１１の所定配列を考慮して、欠落外字１６ｄ，１６ｅが印字されている位置を特定する欠落外字特定部３２と、欠落外字特定部３２からの情報に基づいて、表面スキャナ２３により得られた画像から、欠落外字１６ｄ，１６ｅの画像を抽出する欠落外字画像抽出部３３と、第２表面情報５０および欠落外字１６ｄ，１６ｅの画像からなる情報（欠落外字画像情報６３ｄ，６３ｅ）を記録するデータベース３４と、を備えている。このため、その画像情報がＩＣチップ内に記録されていない欠落外字が存在する場合であっても、ＩＣカードに印字されている全ての文字（標準文字、外字および欠落外字）に関する情報を自動的に取得することができる。このことにより、ＩＣカード１１の保有者に関する書類などを自動的に容易に作成することができる。
【００４６】
また本実施の形態によれば、欠落外字画像情報６３ｄ，６３ｅが、ＩＣチップ１２の第２表面情報５０における外字画像情報５３ａ〜５３ｃと同一の形式でデータベース３４に記録される。このため、データベース３４に記録されている情報に基づいてＩＣカード１１の保有者に関する書類などを作成する際、画像形式の調整処理などを施すことなく欠落外字画像情報６３ｄ，６３ｅを利用することができる。このように本実施の形態によれば、データベース３４に記録されている情報を利用する際の利便性を向上させることができる。
【００４７】
また本実施の形態によれば、欠落外字画像抽出部３３により抽出される欠落外字１６ｄ，１６ｅの画像の画素数が、ＩＣチップ１２の第２表面情報５０に含まれている外字画像情報５３ａ，５３ｂ，５３ｃにおける各外字１６ａ，１６ｂ，１６ｃの画像の画素数と同一になるよう、表面スキャナ２３の解像度が調整される。このため、画像形式の調整処理などを追加で施すことなく、欠落外字１６ｄ，１６ｅの画像からなる欠落外字画像情報６３ｄ，６３ｅの画素数と、外字１６ａ，１６ｂ，１６ｃの画像からなる外字画像情報５３ａ，５３ｂ，５３ｃの画素数とを容易に同一にすることができる。従って、上述のように、データベース３４に記録されている情報に基づいてＩＣカード１１の保有者に関する書類などを作成する際、画像形式の調整処理などを施すことなく欠落外字画像情報６３ｄ，６３ｅを利用することができる。このように本実施の形態によれば、欠落外字１６ｄ，１６ｅの画像に対して画像形式の調整処理などを追加で施すことなく、データベース３４に記録されている情報を利用する際の利便性を向上させることができる。
【００４８】
なお本実施の形態において、まず、表面スキャナ２３によりＩＣカード１１の表面１１ａに印字された第１表面情報１４の画像が取得され（Ｓ１０５）、その後、欠落外字特定部３２によりＩＣカード１１における欠落外字１６ｄ，１６ｅの位置が特定される（Ｓ１０６）例を示した。しかしながら、これに限られることはなく、まず、欠落外字特定部３２により、ＩＣカード１１における欠落外字１６ｄ，１６ｅの位置を特定し、その後、表面スキャナ２３により、ＩＣカード１１の表面１１ａに印字された第１表面情報１４の画像を取得してもよい。この際、表面スキャナ２３は、ＩＣカード１１の表面１１ａのうち、欠落外字１６ｄ，１６ｅに対応する部分の画像のみを選択的に取得してもよい。
【００４９】
第２の実施の形態
次に図７および図８を参照して、本発明の第２の実施の形態について説明する。ここで図７は、第２の実施の形態におけるＩＣカード処理システムを示すブロック図であり、図８は、本発明の第２の実施の形態において、ＩＣカード処理システムによりＩＣカードに施される情報処理を示すフローチャートである。
【００５０】
図７および図８に示す第２の実施の形態においては、コンピュータ３０が、制御部３１と、外字特定部３５と、欠落外字特定部３２と、欠落外字画像抽出部３３と、データベース３４と、を有する点が異なるのみであり、他の構成は、図１乃至図６に示す第１の形態と略同一である。図７および図８に示す第２の実施の形態において、図１乃至図６に示す第１の実施の形態と同一部分には同一符号を付して詳細な説明は省略する。
【００５１】
本実施の形態においては、外字特定部３５が、表面スキャナ２３により得られたＩＣカード１１の表面１１ａの画像を解析することにより、ＩＣカード１１に印字されている外字１６ａ〜１６ｅを特定することができる。このため、ＩＣチップ１２に記録されている第２表面情報５０の欠落外字情報６２ｄ，６２ｅを用いることなく、ＩＣカード１１における欠落外字１６ｄ，１６ｅの位置を特定することが可能となっている。以下、本実施の形態におけるＩＣカード処理システム１０についてより詳細に説明する。
【００５２】
図７に示すように、ＩＣカードリーダライタ２０は外字特定部３５を有している。この外字特定部３５は、いわゆるＯＣＲ（光学文字認識）処理のような、画像中の文字を解析処理する機能を含んでいる。このため、表面スキャナ２３によって得られたＩＣカード１１の表面１１ａの画像を外字特定部３５によって解析することにより、ＩＣカード１１の表面１１ａに印字されている標準文字１５と外字１６ａ〜１６ｅとが特定される。具体的には、例えば、ＯＣＲ処理において解析処理されて導出された文字のうち、ＩＣチップ１２から読み出された第２表面情報５０に含まれる符号化情報５１に対応する文字のいずれかと一致する文字が標準文字１５として特定される。また、ＯＣＲ処理において解析処理されて導出された文字のうち、ＩＣチップ１２から読み出された第２表面情報５０に含まれる符号化情報５１に対応する文字のいずれにも一致しない文字が外字１６ａ〜１６ｅとして特定される。
【００５３】
このようにして画像中の文字を解析処理することにより、ＩＣカード１１の表面１１ａに印字された第１表面情報１４に含まれる外字の有無、および外字の数を特定することができる。例えば本実施の形態においては、外字１６ａ〜１６ｅの数は５個となっている。一方、ＩＣチップ１２の第２表面情報５０に含まれる外字画像情報を参照することにより、その画像情報がＩＣチップ１２に記録されている外字１６ａ〜１６ｃの数を特定するこができる。この場合、ＩＣカード１１の表面１１ａに印字されている外字１６ａ〜１６ｅの数から、その画像情報がＩＣチップ１２に記録されている外字１６ａ〜１６ｃの数を引くことにより、その画像情報がＩＣチップ１２に記録されていない外字、すなわち欠落外字１６ｄ，１６ｅの数を特定することができる。
【００５４】
なお、一般に、ＩＣカード１１の表面１１ａに印字されている外字１６ａ〜１６ｅのうちどの外字の画像に関する情報がＩＣチップ１２に記録されるかは、所定の規則に沿って定められている。例えば、ＩＣカード１１の表面１１ａに印字されている外字１６ａ〜１６ｅのうち、より上方（図３（ｂ）における上方）に印字されている外字から順に、その画像に関する情報がＩＣチップ１２に記録される。従って、ＩＣカード１１の表面１１ａに印字されている外字１６ａ〜１６ｅの数が５個で、その画像情報がＩＣチップ１２に記録されている外字１６ａ〜１６ｃの数が３個となっている場合、ＩＣカード１１の表面１１ａにおいてより下方に印字されている外字が欠落外字１６ｄ，１６ｅとなっている。このため、欠落外字１６ｄ，１６ｅの数が特定される場合、特定される数に基づいて、ＩＣカード１１の表面１１ａにおける欠落外字１６ｄ，１６ｅの位置を特定することが可能である。
【００５５】
次に、このような構成からなる本実施の形態の作用について、図８を参照して説明する。
【００５６】
はじめに図８に示すように、ＩＣカードリーダライタ２０にＩＣカード１１を載置する（Ｓ２０１）。次に、コンピュータ３０を用いて、ＩＣカード１１のＩＣチップ１２用の暗証番号をＩＣチップ１２に入力する（Ｓ２０２）。その後、ＩＣチップ読出部２２により、ＩＣチップ１２に記録されている第２表面情報５０を読み出す（Ｓ２０３）。これらのステップは、図５に示す第１の実施の形態におけるステップＳ１０１〜１０３と略同一であるので、詳細な説明は省略する。
【００５７】
次に、表面スキャナ２３により、ＩＣカード１１の表面１１ａに印字された第１表面情報１４の画像を取得する（Ｓ２０４）。その後、外字特定部３５によって当該画像を解析することにより、ＩＣカード１１の表面１１ａに印字された第１表面情報１４に含まれる外字１６ａ〜１６ｅの位置および数を特定する。その後、ＩＣカード１１の表面１１ａに印字されている外字１６ａ〜１６ｅの数から、その画像情報がＩＣチップ１２に外字画像情報５３ａ〜５３ｃとして記録されている外字１６ａ〜１６ｃの数が差し引かれる。そして、差し引いた結果が１以上となっているかどうかに基づいて、欠落外字が存在しているかどうかが判定される（Ｓ２０５）。
本実施の形態においては、ＩＣカード１１の表面１１ａに印字されている外字１６ａ〜１６ｅの数から、その画像情報がＩＣチップ１２に外字画像情報５３ａ〜５３ｃとして記録されている外字１６ａ〜１６ｃの数を差し引いた結果が２となっている。従って、「欠落外字有り」と判定される。
【００５８】
そして、上述の差し引いた結果（＝２）から、欠落外字１６ｄ，１６ｅの数が２個と特定される（Ｓ２０６）。次に、欠落外字１６ｄ，１６ｅの数に関する情報と、外字特定部３５により特定された外字１６ａ〜１６ｅの位置に関する情報と、に基づいて、欠落外字１６ｄ，１６ｅの位置が特定される（Ｓ２０７）。例えば、外字特定部３５により特定された外字１６ａ〜１６ｅのうち、より下方に位置する２つの外字の位置が、それぞれ第１欠落外字１６ｄの位置、および第２欠落外字１６ｅの位置として特定される。
【００５９】
その後、欠落外字画像抽出部３３が、表面スキャナ２３により得られたＩＣカード１１の画像から、欠落外字特定部３２により特定された欠落外字１６ｄ，１６ｅの位置に関する情報に基づいて、欠落外字１６ｄ，１６ｅの画像を抽出する（Ｓ２０８）。このようにして欠落外字画像情報６３ｄ，６３ｅが得られる。その後、得られた欠落外字画像情報６３ｄ，６３ｅの確認が適宜実施され（Ｓ２０９）、次に、当該欠落外字画像情報６３ｄ，６３ｅと、ＩＣチップ１２から読み出された第２表面情報５０と、がデータベース３４に記録される（Ｓ２１０）。また、プリンタ４０により、ＩＣカード１１に印字された文字が全て印字された帳票が適宜プリントアウトされる（Ｓ２１１）。
【００６０】
このように本実施の形態によれば、ＩＣカード処理システム１０は、第２表面情報５０をＩＣチップ１２から読み出すＩＣチップ読出部２２と、ＩＣカード１１の表面１１ａを読み込んで、ＩＣカード１１の表面１１ａに印字された第１表面情報１４の画像を取得する表面スキャナ２３と、ＩＣカード１１の表面１１ａの画像を解析して、ＩＣカード１１の表面１１ａに印字された第１表面情報１４に含まれる外字１６ａ〜１６ｅを特定する外字特定部３５と、ＩＣチップ１２により読み出された第２表面情報５０および外字特定部３５からの情報に基づいて、ＩＣカード１１の表面１１ａに印字された第１表面情報１４に含まれる外字１６ａ〜１６ｅのうち外字画像情報５３ａ〜５３ｃに含まれない欠落外字１６ｄ，１６ｅを特定する欠落外字特定部３２と、欠落外字特定部３２からの情報に基づいて、表面スキャナ２３により得られたＩＣカード１１の表面１１ａの画像から、欠落外字１６ｄ，１６ｅの画像を抽出する欠落外字画像抽出部３３と、第２表面情報５０および欠落外字１６ｄ，１６ｅの画像からなる情報（欠落外字画像情報６３ｄ，６３ｅ）を記録するデータベース３４と、を備えている。このため、その画像情報がＩＣチップ内に記録されていない欠落外字が存在する場合であっても、ＩＣカード１１に印字されている全ての文字（標準文字、外字および欠落外字）に関する情報を自動的に取得することができる。このことにより、ＩＣカード１１の保有者に関する書類などを自動的に容易に作成することができる。
【００６１】
なお上記各実施の形態において、ＩＣチップ読出部２２および表面スキャナ２３が、ＩＣカードリーダライタ２０の蓋部分および本体部分にそれぞれ設けられており、従って、ＩＣチップ読出部２２と表面スキャナ２３とがＩＣカード１１に対して同時に作用させられ得る例を示した。しかしながら、これに限られることはなく、図９に示すように、ＩＣカードリーダライタ２０において、ＩＣチップ読出部２２と表面スキャナ２３とが離れて配置されていてもよい。
【００６２】
この場合、はじめに、ＩＣカードリーダライタ２０に挿入されたＩＣカード１１が、表面スキャナ２３により表面１１ａの画像を取得するための所定位置まで搬送される。この際、ＩＣカード１１の位置が、カード検出センサ２５により検出される。そして、所定位置において、表面用光源２３ａと表面用撮像器２３ｂとからなる表面スキャナ２３により、ＩＣカード１１の表面１１ａの画像が取得される。次に、ＩＣカード１１がＩＣチップ読出部２２まで搬送され、その後、ＩＣチップ読出部２２によりＩＣカード１１のＩＣチップ１２に記録されている第２表面情報５０が読み出される。
【００６３】
なお、図９に示すように、ＩＣカードリーダライタ２０において、ＩＣカード１１の裏面１１ｂの画像を取得する裏面スキャナ２４がさらに設けられていてもよい。これによって、ＩＣカード１１の表面１１ａに印字されている文字に関する情報だけでなく、ＩＣカード１１の裏面１１ｂに印字されている文字に関する情報を得ることも可能となる。
【００６４】
また上記各実施の形態において、ＩＣカード１１のＩＣチップ１２に記録されている第２表面情報５０に、一部の外字１６ａ〜１６ｃの画像に関する外字画像情報５３ａ〜５３ｃが含まれている例を示した。しかしながら、これに限られることはなく、ＩＣチップ１２に記録されている第２表面情報５０に外字画像情報が全く含まれていなくてもよい。この場合、ＩＣカード１１に印字されている全ての外字の画像に関する情報が、ＩＣカード処理システム１０により取得される。
【００６５】
また上記各実施の形態において、欠落外字画像情報６３ｄ，６３ｅが、ＩＣチップ１２の第２表面情報５０における外字画像情報５３ａ〜５３ｃと同一の形式（画素数、画像フォーマット、圧縮形式など）でデータベース３４に記録される例を示した。しかしながら、これに限られることはなく、欠落外字画像情報６３ｄ，６３ｅを、ＩＣチップ１２の第２表面情報５０における外字画像情報５３ａ〜５３ｃとは異なる形式でデータベース３４に記録してもよい。例えば、欠落外字画像情報６３ｄ，６３ｅを、ＩＣチップ１２の第２表面情報５０における外字画像情報５３ａ〜５３ｃよりも圧縮された形式でデータベース３４に記録してもよい。また、外字画像情報６３ａ〜６３ｃを、ＩＣチップ１２の第２表面情報５０における外字画像情報５３ａ〜５３ｃよりも圧縮された形式でデータベース３４に記録してもよい。これによって、データベース３４において欠落外字画像情報６３ｄ，６３ｅまたは外字画像情報６３ａ〜６３ｃを記録するために割り当てられる容量をより小さくすることができ、このことにより、データの利便性をより向上させるとともに、データベースのコストをより抑制することができる。
【００６６】
また上記各実施の形態において、欠落外字１６ｄ，１６ｅの画像に関する欠落外字画像情報と、ＩＣチップ読出部２２によりＩＣチップ１２から読み出された第２表面情報５０とが、ともにデータベース３４に記録される例を示した。しかしながら、これに限られることはなく、欠落外字１６ｄ，１６ｅの画像に関する欠落外字画像情報と、ＩＣチップ読出部２２によりＩＣチップ１２から読み出された第２表面情報５０とを、データベース３４に記録することなく所定の処理において用いてもよい。例えば、欠落外字１６ｄ，１６ｅの画像に関する欠落外字画像情報と、ＩＣチップ読出部２２によりＩＣチップ１２から読み出された第２表面情報５０とを、データベース３４に記録することなくプリンタ４０に送信し、これによって、Ｃカード１１に印字された文字が全て印字された帳票（図示せず）をプリントアウトしてもよい。
【符号の説明】
【００６７】
１０  ＩＣカード処理システム
１１  ＩＣカード
１１ａ  ＩＣカードの表面
１１ｂ  ＩＣカードの裏面
１２  ＩＣチップ
１３  印字領域
１４  第１表面情報
１５  標準文字
１６ａ〜１６ｃ  外字
１６ｄ〜１６ｅ  欠落外字
１７  顔写真印画領域
１８  顔写真
２０  ＩＣカードリーダライタ
２２  ＩＣチップ読出部
２３  表面スキャナ
２３ａ  表面用光源
２３ｂ  表面用撮像器
２４  裏面スキャナ
２４ａ  裏面用光源
２４ｂ  裏面用撮像器
２５  カード検出センサ
３０  コンピュータ
３１  制御部
３２  欠落外字特定部
３３  欠落外字画像抽出部
３４  データベース
３５  外字特定部
３６  ディスプレイ
４０  プリンタ
５０  第２表面情報
５１  符号化情報
５２ａ〜５２ｃ  外字情報
５２ｄ〜５２ｅ  欠落外字情報
５３ａ〜５３ｃ  外字画像情報
６０  データベース情報
６１  符号化情報
６２ａ〜６２ｃ  外字情報
６２ｄ〜６２ｅ  欠落外字情報
６３ａ〜６３ｃ  外字画像情報
６３ｄ〜６３ｅ  欠落外字画像情報
【図１】
0005445964.tif 000002
【図２】
0005445964.tif 000003
【図３】
0005445964.tif 000004
【図４】
0005445964.tif 000005
【図５】
0005445964.tif 000006
【図６】
0005445964.tif 000007
【図７】
0005445964.tif 000008
【図８】
0005445964.tif 000009
【図９】
0005445964.tif 000010